(57)【要約】【課題】１種類のサイズでありながら包装する食品の厚さが異なる場合でも、その食品にフィットして包装することができ、包装した食品を最後までこぼすことなく、手を汚さずに食べることができるようにした食品包装体を提供する。【解決手段】ハンバーガー８を開口部１ａから突出させて包装すると、対向する２つの壁面部２ａ、２ｂの周縁どうしを連結する蛇腹状の連結部３が伸縮して厚さ方向にすき間なくフィットして包装し、ハンバーガー８が小さくなった際には、開口部１ａを分割するように壁面部２ａ、２ｂおよび連結部３を連続的に横断して切断した切断線４ａを覆っている接着テープ４ｂを剥がして分割ライン部４に沿って袋状の食品包装体１を分割する。【選択図】    図２
0003127849.tif 000002
【実用新案登録請求の範囲】
【請求項１】
対向する２つの壁面部の周縁どうしを、この対向方向に伸縮する蛇腹状の連結部により連結して一端に開口部を有する袋状に形成し、該開口部を分割するように、前記対向する２つの壁面部および連結部を連続的に横断する分割ライン部を少なくとも１箇所設け、該分割ライン部に沿って分割可能に構成した食品包装体。
【請求項２】
前記分割ライン部を、前記開口部を分割するように前記対向する２つの壁面部および連結部を連続的に横断して切断した切断線と、該切断線を覆うように貼り付けた剥離可能な接着テープとで構成した請求項１に記載の食品包装体。
【請求項３】
前記分割ライン部を、前記開口部を分割するように前記対向する２つの壁面部および連結部を連続的に横断する２本の並列するミシン目で構成した請求項１に記載の食品包装体。
【請求項４】
前記対向する２つの壁面部の開口部側に切欠き部を設けた請求項１〜３のいずれかに記載の食品包装体。
【請求項５】
前記対向する２つの壁面部を所定の対向間隔に保持するスペーサを設けた請求項１〜４のいずれかに記載の食品包装体。
【請求項６】
前記開口部を覆うカバーを設けた請求項１〜５のいずれかに記載の食品包装体。
【考案の詳細な説明】
【技術分野】
【０００１】
本考案は、食品包装体に関し、さらに詳しくは、１種類のサイズでありながら包装する食品の厚さが異なる場合でも、その食品にフィットして包装することができ、包装した食品を最後までこぼすことなく、手を汚さずに食べることができるようにした食品包装体に関するものである。
【背景技術】
【０００２】
ハンバーガー等の手で持ちながら食べる食品を、こぼすことなく手を汚さずに食べることができるようにする包装体が種々提案されている（例えば、特許文献１、２参照）。これら提案されている包装体は、包装する食品のサイズ（厚さ）に合わせて製造されるものであったので、食品の厚さが異なる場合、例えば、通常のハンバーガーと、より厚さが大きいダブルタイプのハンバーガーがある場合には、２種類のサイズの包装体が必要になり、コストや管理等の点において不利であった。この不利な点を解消するために、包装体のサイズをダブルタイプのハンバーガーに合わせて１種類にすると、通常のハンバーガーを包装した際に包装体とのすき間が大きくなり、パンの間に挟んだ具材やソース等の汁気がこぼれ易くなるという問題があった。
【０００３】
さらに、特許文献１の包装体は一端を開口した単純な袋体であるため、包装している食品が食べ進んで小さくなると、包装体に埋もれるようになって食べにくくなるという問題があった。このように食品が小さくなった場合に、特許文献２の包装体では、舌片で形成した底部を指先で押上げて食品を突出させるようにしている。しかしながら、押上げの加減が強すぎると食品を落としてしまう危険があり、最後まで食品をこぼすことなく食べるには十分なものではなかった。
【特許文献１】特開２０００−４３９３１号公報
【特許文献２】特開２００６−８２１７号公報
【考案の開示】
【考案が解決しようとする課題】
【０００４】
本考案の目的は、１種類のサイズでありながら包装する食品の厚さが異なる場合でも、その食品にフィットして包装することができ、包装した食品を最後までこぼすことなく、手を汚さずに食べることができるようにした食品包装体を提供することにある。
【課題を解決するための手段】
【０００５】
上記目的を達成するため本考案の食品包装体は、対向する２つの壁面部の周縁どうしを、この対向方向に伸縮する蛇腹状の連結部により連結して一端に開口部を有する袋状に形成し、該開口部を分割するように、前記対向する２つの壁面部および連結部を連続的に横断する分割ライン部を少なくとも１箇所設け、該分割ライン部に沿って分割可能に構成したことを特徴とするものである。
【０００６】
ここで、前記分割ライン部を、前記開口部を分割するように前記対向する２つの壁面部および連結部を連続的に横断して切断した切断線と、該切断線を覆うように貼り付けた剥離可能な接着テープとで構成することもでき、前記開口部を分割するように前記対向する２つの壁面部および連結部を連続的に横断する２本の並列するミシン目で構成することもできる。また、前記対向する２つの壁面部の開口部側に切欠き部を設けることもでき、前記対向する２つの壁面部を所定の対向間隔に保持するスペーサを設けることもでき、前記開口部を覆うカバーを設けることもできる。
【考案の効果】
【０００７】
本考案の食品包装体によれば、対向する２つの壁面部の周縁どうしを、この対向方向に伸縮する蛇腹状の連結部により連結して一端に開口部を有する袋状に形成したので、１種類のサイズでありながらハンバーガー等の包装する食品の厚さが異なる場合でも、その食品の厚さに応じて対向する壁面部の間隔を変えてフィットするように包装することができる。これにより食品を包装した容器を手で持ちながら、開口部から突出している食品を食べる際に、ハンバーガー等の挟んだ具材がこぼれ易い食品であっても袋状の内部に受け止めて、こぼすことなく手を汚さずに食べることができる。
【０００８】
さらに、開口部を分割するように対向する２つの壁面部および連結部を連続的に横断する分割ライン部を少なくとも１箇所設け、この分割ライン部に沿って分割可能に構成したので、食べ進んで包装している食品が小さくなった際に分割ライン部に沿って袋状の包装体を分割すれば包装体が袋状のまま小さくなり、それまでと同様に食品を食べることができる。これにより最後まで食品をこぼすことなく、手を汚さずに食べることが可能になる。
【考案を実施するための最良の形態】
【０００９】
以下、本考案の食品包装体を図に示した実施形態に基づいて説明する。
図１に例示するように、この食品包装体１は、長方形状の対向する２つの壁面部２ａ、２ｂを有し、この対向する方向に伸縮する蛇腹状の連結部３によって壁面部２ａ、２ｂの周縁どうしが連結されている。この連結部３は、それぞれの壁面部２ａ、２ｂの周縁の３辺に渡って設けられ、食品包装体１は一端に開口部１ａを有する袋状に形成されている。
【００１０】
また、食品包装体１には開口部１ａを分割するようにそれぞれの壁面部２ａ、２ｂのほぼ中央を横断し、さらに連結部３を横断して連続するようにして形成された分割ライン部４が設けられている。この分割ライン部４は、それぞれの壁面部２ａ、２ｂおよび連結部３を連続的に横断して切断した切断線４ａと、この切断線４ａを覆うように外側から貼り付けた接着テープ４ｂとにより構成されている。この接着テープ４ｂは、貼り付けている面から円滑にはく離できるようになっている。
【００１１】
壁面部２ａ、２ｂおよび連結部３の材質には、例えば紙、樹脂、或いはこれらの複合体等を用いることができ、袋状の内周面は防水性を有するようにすることが好ましい。壁面部２ａ、２ｂと連結部３とは同じ材質にしてもよく、異なる材質を用いることもできる。壁面部２ａ、２ｂと連結部３とを同じ材質にする場合は、その材質の平板状材料を所定の形状で壁面部２ａ、２ｂと連結部３とを一体的に型抜きして、その型抜きした部材を組み立てることにより袋状に形成して食品包装体１を製造することができる。
【００１２】
この食品包装体１によって、例えばハンバーガー８を包装すると図２、３に例示するように開口部１ａからハンバーガー８の半分程度が突出するようになる。その際に、ハンバーガー８の厚さに応じて連結部３が伸縮するので、図３に例示するようにハンバーガー８にフィットして厚さ方向にすき間がないように包装することができる。
【００１３】
この食品包装体１によってパン９ａや具材９ｂがより多く積層されて、さらに厚さが大きいダブルタイプのハンバーガー９を包装する場合は、図４に例示するように連結部３がハンバーガー９の厚さ方向に伸びることにより、このハンバーガー９をフィットして包装することができる。
【００１４】
このように、本考案の食品包装体１では１種類のサイズでありながら、厚さの異なるハンバーガー８、９であってもその厚さに応じて連結部３が伸縮することによりフィットして包装することができる。そのため、食品包装体１を手で持ちながらハンバーガー８、９を食べる際に、パン８ａ、９ａに挟まれているずれ易い具材８ｂ、９ｂやソースなどの汁気が確実に袋状の内部に受け止められてこぼれにくくなり、これらをこぼすことなく手を汚さずに食べることができる。
【００１５】
また、図５に例示するように、ハンバーガー８を包装している食品包装体１を、開口部１ａを上にしてテーブル等に立てた状態で置くこともできるので、包装したハンバーガー８が取り扱い易くなる。
【００１６】
この食品包装体１は、ハンバーガー８、９だけでなく、図６に例示するようにサンドイッチ１０を同様に包装することもでき、その他、中華まんじゅう、ホットドック、ピザ、フライドチキン、ドーナツ、おにぎりなどの手で持って食べる種々の食品を包装することができる。
【００１７】
ハンバーガー８が食べて進んで小さくなった際には、図７に例示するように接着テープ４ｂを接着面から剥がすようにする。接着テープ４ｂの全長が剥離されると食品包装体１は切断線４ａに沿って分割できるので、分割された一方を取り除くようにする。このように、食品包装体１を簡単に分割することができるので、包装しているハンバーガー８を落とす心配がない。
【００１８】
図８に示すように小さくなったハンバーガー８は、分割されて小さくなった袋状の食品包装体１から一部を突出して包装された状態になる。この包装状態でそれまでと同様にハンバーガー８を食べることができるので、最後までハンバーガー８をこぼすことなく、手を汚さずに食べることが容易にできる。
【００１９】
この食品包装体１には、図９、１０に例示するように対向する壁面部２ａ、２ｂの間に挿入するスペーサ６を設けることもできる。このスペーサ６は紙等を帯状に形成したもので、包装するハンバーガー８の厚さに合うように高さを設定している。このスペーサ６をハンバーガー８の外周に沿わせて壁面部２ａ、２ｂの間に挿入することにより互いの壁面部２ａ、２ｂを所定の対向間隔に保持できる。
【００２０】
このようにスペーサ６を設けることで、ハンバーガー８の形状を崩さないように一段と安定して包装しておくことができる。ハンバーガー８を食べる際には、スペーサ６を取り去るようにする。スペーサ６は壁面部２ａ、２ｂを所定の対向間隔に維持できれば、図９、１０に例示した形状に限定されるものではない。
【００２１】
また、図１１に例示するように食品包装体１には開口部１ａを覆うカバー７を設けることもできる。このカバー７は例えば、紙、樹脂、或いはこれらの複合体等により製造され、開口部１ａを開口部１ａから突出しているハンバーガー８とともに覆うことによって、ハンバーガー８を外部から遮断するように包装することができる。
【００２２】
図１２にカバー７の変形例を示す。このカバー７は、別の食品包装体１をそのまま用いたものであり、ハンバーガー８を包装している食品包装体１と開口部１ａ、１ａどうしを対向させて、食品包装体１の開口部１ａを覆うように外挿される。このようにカバー７を設けた食品包装体１でハンバーガー８を包装した場合にも、必要があれば図１３に例示するようにスペーサ６を設けることができる。この例では２つの帯状のスペーサ６が直線状態で配置されているが、図９に例示したように１つの帯状のスペーサ６をハンバーガー８の外周に沿って配置するようにしてもよい。
【００２３】
また、図８に示したような食品包装体１を分割ライン４に沿って分割した後の分割体は、対向する壁面部２ａ、２ｂの周縁どうしをこの対向方向に伸縮する蛇腹状の連結部３により連結された開口部１ａを有する袋状になっている。そこで、図１７に例示するように、このような分割体を２つ組み合わせて一方を他方に嵌め込むようにして１つの袋状体を形成するようにして食品包装体にすることもできる。
【００２４】
このように２つの分割体をスライド可能に組み合わせて袋状に形成すれば、図１８に例示するように、２つの分割体を相対的にスライドさせることによりハンバーガー８の幅寸法にフィットさせて包装することができる。即ち、この構造によれば幅の異なる食品であってもその幅にフィットして包装することが可能になる。
【００２５】
図１４に食品包装体１の別の実施形態を示し、図１に例示した実施形態との相違点のみを以下に説明する。
【００２６】
この食品包装体１は対向する壁面部２ａ、２ｂの開口部１ａ側に円弧状の切欠き部５を有し、分割ライン部４は、開口部１ａを分割するように対向する２つの壁面部２ａ、２ｂおよび連結部３を連続的に横断する２本の並列するミシン目４ｃ、４ｃで構成されている。
【００２７】
このように切欠き部５を設けることにより、切欠き部５に沿ってハンバーガー８を食べることができるので、壁面部２ａ、２ｂが気にならず、食べ易くなる。切欠き部５の形状は上記の実施形態に例示したものに限らず他の形状にすることもできる。
【００２８】
ハンバーガー８が食べて進んで小さくなった際には、図１５に例示するように並列したミシン目４ｃ、４ｃの間の分割ライン部４を切取るようにする。分割ライン部４の全長が切取られると食品包装体１はミシン目４ｃ、４ｃに沿って分割できるので、分割された一方を取り除くようにする。この実施形態でも、食品包装体１を簡単に分割することができるので、包装しているハンバーガー８を落とす心配がない。
【００２９】
図１６に示すように小さくなったハンバーガー８は、分割されて小さくなった袋状の食品包装体１から一部を突出して包装された状態になり、それまでと同様に食べることができ、最後までハンバーガー８をこぼすことなく、手を汚さずに食べることができる。
【００３０】
分割ライン部４は、食品包装体１の開口部１ａを分割するように、対向する２つの壁面部２ａ、２ｂおよび連結部３を連続的に横断して分割可能にする種々の構造を採用することができ、例えば、対向する２つの壁面部２ａ、２ｂおよび連結部３を連続的に横断するように糸などの紐状体を配設し、この紐状体を一端側から引き上げながら、壁面部２ａ、２ｂや連結部３を切断して食品包装体１を分割するようにしてもよい。分割ライン部４は、１箇所に限らず複数箇所設けることもできる。
【００３１】
また、壁面部２ａ、２ｂは包装する食品に応じて様々な形状、大きさにすればよく、表面には様々な文字や色等を記して自由にデザインするとよい。
【図面の簡単な説明】
【００３２】
【図１】本考案の食品包装体を例示する斜視図である。
【図２】ハンバーガーを包装した図１の食品包装体を例示する平面図である。
【図３】図２の側面図である。
【図４】ダブルタイプのハンバーガーを包装した図１の食品包装体を例示する側面図である。
【図５】ハンバーガーを包装した図１の食品包装体を立てた状態を例示する側面図である。
【図６】サンドイッチを包装した図１の食品包装体を例示する側面図である。
【図７】図１の食品包装体の分割方法を例示する説明図である。
【図８】図７の食品包装体の分割した後の状態を例示する平面図である。
【図９】図２の食品包装体にスペーサを配置する状態を例示する平面図である。
【図１０】スペーサを配置した後の図９の食品包装体を例示する側面図である。
【図１１】図２の食品包装体にカバーを設けた状態を例示する平面図である。
【図１２】カバーの変形例を示す平面図である。
【図１３】スペーサを配置した図１２の食品包装体を例示する平面図である。
【図１４】本考案の食品包装体の別の実施形態を例示する平面図である。
【図１５】図１４の食品包装体の分割方法を例示する説明図である。
【図１６】図１５の食品包装体の分割した後の状態を例示する平面図である。
【図１７】図８の分割体を用いた食品包装体を例示する説明図である。
【図１８】ハンバーガーを包装した図１７の食品包装体を例示する平面図である。
【符号の説明】
【００３３】
１  食品包装体      １ａ  開口部
２ａ、２ｂ  壁面部
３  連結部
４  分割ライン部
４ａ  切断線      ４ｂ  接着テープ      ４ｃ  ミシン目
５  切欠き部
６  スペーサ
７  カバー
８  ハンバーガー    ８ａ  パン      ８ｂ  具材
９  ハンバーガー（ダブルタイプ）    ９ａ  パン      ９ｂ  具材
１０  サンドイッチ
【図１】
0003127849.tif 000003
【図２】
0003127849.tif 000004
【図３】
0003127849.tif 000005
【図４】
0003127849.tif 000006
【図５】
0003127849.tif 000007
【図６】
0003127849.tif 000008
【図７】
0003127849.tif 000009
【図８】
0003127849.tif 000010
【図９】
0003127849.tif 000011
【図１０】
0003127849.tif 000012
【図１１】
0003127849.tif 000013
【図１２】
0003127849.tif 000014
【図１３】
0003127849.tif 000015
【図１４】
0003127849.tif 000016
【図１５】
0003127849.tif 000017
【図１６】
0003127849.tif 000018
【図１７】
0003127849.tif 000019
【図１８】
0003127849.tif 000020